(57)【要約】【課題】外部表示媒体に表示されているデータを指し示すスポット指標の表示を適切に制御できるようにする。【解決手段】携帯電話機１は、外部表示媒体（スクリーン）４に表示（投影）されているデータ（画像）を指し示すスポット指標の表示を制御する表示制御装置で、レーザポインタ５からスクリーン４に照射されているスポット光の照射状態（例えば、色、点滅周期など）に基づいてスポット指標の表示態様（色、形状、サイズ、点滅パターンなど）を制御する。すなわち、携帯電話機１は、スクリーン４上を撮影した画像を解析し、スポット光の照射位置とその照射状態を検出すると共に、この照射状態に応じた表示態様のスポット指標を生成し、この生成したスポット指標が投影用データ内の照射位置に相当する位置に配置されるように、投影用データとスポット指標とを合成し、この合成データを新たな投影用データとしてプロジェクタ３に送信して、プロジェクタ３からスクリーン４上に投影（表示）させる。【選択図】  図１
2011133541.tif 000002
【特許請求の範囲】
【請求項１】
外部表示媒体に表示されているデータを指し示すスポット指標の表示を制御する表示制御装置であって、
前記外部表示媒体に対して照射されているスポット光の照射状態を検出する状態検出手段と、
この状態検出手段により検出された照射状態に基づいて、前記スポット指標の表示態様を決定する決定手段と、
この決定手段により決定された表示態様のスポット指標を生成する生成手段と、
を備えることを特徴とする表示制御装置。
【請求項２】
前記スポット光の照射位置を検出する位置検出手段と、
この位置検出手段により検出された照射位置が、前記外部表示媒体に表示されているデータのどの位置に相当するかを判別する判別手段と、
この判別手段により判別された位置に基づいて、前記データと前記生成手段により生成されたスポット指標とを合成データとして合成する合成手段と、
を更に備える、
ようにしたことを特徴とする請求項１記載の表示制御装置。
【請求項３】
前記外部表示媒体に表示させるデータとして、外部装置から送信されたデータを受信する受信手段を更に備え、
前記合成手段は、前記判別手段により判別された位置に基づいて、前記受信手段により受信したデータと前記生成手段により生成されたスポット指標とを合成データとして合成する、
ようにしたことを特徴とする請求項２記載の表示制御装置。
【請求項４】
前記合成手段により合成された合成データを、外部装置に送信する第１送信手段を更に備える、
ようにしたことを特徴とする請求項２、請求項３のいずれかに記載の表示制御装置。
【請求項５】
前記スポット光の照射位置を検出する位置検出手段と、
この位置検出手段により検出された照射位置と前記生成手段により生成されたスポット指標とを、外部装置に送信する第２送信手段を更に備える、
ようにしたことを特徴とする請求項１記載の表示制御装置。
【請求項６】
前記決定手段は、前記状態検出手段により検出された照射状態に基づいて、前記スポット指標の表示態様として、色、形状、大きさ、点滅パターン、明るさ、模様のうち、少なくともいずれか１つを決定する、
ようにしたことを特徴とする請求項１記載の表示制御装置。
【請求項７】
前記決定手段は、前記状態検出手段により検出された照射状態に基づいて、前記スポット指標の表示態様として、そのスポット指標の動く軌跡を決定する、
ようにしたことを特徴とする請求項１記載の表示制御装置。
【請求項８】
前記決定手段は、前記状態検出手段により検出された照射状態に基づいて、前記スポット指標の表示態様として、そのスポット指標の軌跡を描く時間、距離の少なくともいずれか一方を決定する、
ようにしたことを特徴とする請求項７記載の表示制御装置。
【請求項９】
外部表示媒体に表示されているデータを指し示すスポット指標の表示を制御する表示制御システムであって、
前記外部表示媒体に対して照射されているスポット光の照射状態を検出する状態検出手段と、
この検出手段により検出された照射状態に基づいて、前記スポット指標の表示態様を決定する決定手段と、
この決定手段により決定された表示態様のスポット指標を生成する生成手段と、
前記スポット光の照射位置を検出する位置検出手段と、
この位置検出手段により検出された照射位置に基づいて、前記外部表示媒体に前記生成手段により生成されたスポット指標を表示させる表示制御手段と、
を備えることを特徴とする表示制御システム。
【請求項１０】
前記位置検出手段により検出された照射位置が、前記外部表示媒体に表示されているデータのどの位置に相当するかを判別する判別手段と、
この判別手段により判別された位置に基づいて、前記データと前記生成手段により生成されたスポット指標とを合成データとして合成する合成手段と、
を更に備え、
前記表示制御手段は、前記合成手段により合成された合成データを前記外部表示媒体に表示させる、
ようにしたことを特徴とする請求項９記載の表示制御システム。
【請求項１１】
コンピュータに対して、
外部表示媒体に対して照射されているスポット光の照射状態を検出する機能と、
前記検出された照射状態に基づいて、前記外部表示媒体に表示されているデータを指し示すスポット指標の表示態様を決定する機能と、
前記決定された表示態様のスポット指標を生成する機能と、
を実現させるためのプログラム。
【請求項１２】
コンピュータに対して、
外部表示媒体に対して照射されているスポット光の照射状態を検出する機能と、
前記検出された照射状態に基づいて、前記外部表示媒体に表示されているデータを指し示すスポット指標の表示態様を決定する機能と、
前記決定された表示態様のスポット指標を生成する機能と、
前記スポット光の照射位置を検出する機能と、
前記検出された照射位置に基づいて、前記外部表示媒体に、前記生成されたスポット指標を表示させる機能と、
を実現させるためのプログラム。
【発明の詳細な説明】
【技術分野】
【０００１】
本発明は、外部表示媒体に表示されているデータを指し示すスポット指標の表示を制御する表示制御装置及び表示制御システム並びにプログラムに関する。
【背景技術】
【０００２】
従来、光源や透過型液晶パネルなどを使用して投影用の画像データを光変換し、外部表示媒体（スクリーンやホワイトボードなど）上に投影（表示）するプロジェクタを、パーソナルコンピュータ（ＰＣ）や携帯電話機などの端末装置に接続した状態において、各種の資料をスクリーン上に表示させることによってプレゼンテーションを行う場合に、その発表者は、スクリーン上の資料にしたがってその補足説明や注意事項などを口頭で説明するようにしている。その際、発表者は、レーザポインタを使用し、そのレーザポインタから出射されたレーザ光を、スクリーン上に表示されている画像（データ）の所定箇所に照射して、その箇所を明示するようにしている。すなわち、発表者は、外部表示媒体上の任意箇所をスポット光で照らすようにしている。
【０００３】
ところで、従来、レーザポインタから出射された赤外線光（不可視光）によってスクリーン上に結像したスポット光を、イメージセンサで画像信号として読み取り、そのスポット光の座標位置を検出してパソコンに入力し、パソコンでその座標位置にマウスカーソルを生成してスクリーン上に表示させるようにした技術が開示されている（特許文献１参照）。すなわち、従来では、スクリーンに表示されている任意の位置の画像（データ）を指し示すためのスポット指標として、スクリーン上の任意の箇所（スポット光の座標位置）にマウスカーソルをスポット光の代替えとして表示させることによって、レーザポインタをマウス操作手段として使用可能とした技術が開示されている。
【先行技術文献】
【特許文献】
【０００４】
【特許文献１】特開平９−０８０３７２号公報
【発明の概要】
【発明が解決しようとする課題】
【０００５】
しかしながら、上述した先行技術にあっては、レーザポインタによるスポット光の座標位置にマウスカーソルを表示されることができるため、発表者にあってはレーザポインタを使用するだけでスクリーン上の所定箇所を明示することができるために利便性は高いが、スポット光の代替えとしてのマウスカーソルを表示するだけであるため、重要な説明箇所を強調して受講者や視聴者に示したりすることが困難であった。また、受講者や視聴者にとっては、マウスカーソルを表示するだけでは、変化に乏しい印象を受け、単調で説明箇所を見逃したり、混同したりする危険性があった。
【０００６】
本発明の課題は、外部表示媒体に表示されている任意の位置のデータを指し示すためのスポット指標を適切に表示制御できるようにすることである。
【課題を解決するための手段】
【０００７】
上述した課題を解決するために請求項１記載の発明は、外部表示媒体に表示されているデータを指し示すスポット指標の表示を制御する表示制御装置であって、前記外部表示媒体に対して照射されているスポット光の照射状態を検出する状態検出手段と、この状態検出手段により検出された照射状態に基づいて、前記スポット指標の表示態様を決定する決定手段と、この決定手段により決定された表示態様のスポット指標を生成する生成手段と、を備えることを特徴とする。
【０００８】
請求項１に従属する発明として、前記スポット光の照射位置を検出する位置検出手段と、この位置検出手段により検出された照射位置が、前記外部表示媒体に表示されているデータのどの位置に相当するかを判別する判別手段と、この判別手段により判別された位置に基づいて、前記データと前記生成手段により生成されたスポット指標とを合成データとして合成する合成手段と、を更に備えるようにしたことを特徴とする請求項２記載の発明であってもよい。
【０００９】
請求項２に従属する発明として、前記外部表示媒体に表示させるデータとして、外部装置から送信されたデータを受信する受信手段を更に備え、前記合成手段は、前記判別手段により判別された位置に基づいて、前記受信手段により受信したデータと前記生成手段により生成されたスポット指標とを合成データとして合成する、ようにしたことを特徴とする請求項３記載の発明であってもよい。
【００１０】
請求項２、請求項３のいずれかに従属する発明として、前記合成手段により合成された合成データを、外部装置に送信する第１送信手段を更に備える、ようにしたことを特徴とする請求項４記載の発明であってもよい。
【００１１】
請求項１に従属する発明として、前記スポット光の照射位置を検出する位置検出手段と、この位置検出手段により検出された照射位置と前記生成手段により生成されたスポット指標とを、外部装置に送信する第２送信手段を更に備える、ようにしたことを特徴とする請求項５記載の発明であってもよい。
【００１２】
請求項１に従属する発明として、前記決定手段は、前記状態検出手段により検出された照射状態に基づいて、前記スポット指標の表示態様として、色、形状、大きさ、点滅パターン、明るさ、模様のうち、少なくともいずれか１つを決定する、ようにしたことを特徴とする請求項６記載の発明であってもよい。
【００１３】
請求項１に従属する発明として、前記決定手段は、前記状態検出手段により検出された照射状態に基づいて、前記スポット指標の表示態様として、そのスポット指標の動く軌跡を決定する、ようにしたことを特徴とする請求項７記載の発明であってもよい。
【００１４】
請求項７に従属する発明として、前記決定手段は、前記状態検出手段により検出された照射状態に基づいて、前記スポット指標の表示態様として、そのスポット指標の軌跡を描く時間、距離の少なくともいずれか一方を決定する、ようにしたことを特徴とする請求項８記載の発明であってもよい。
【００１５】
また、上述した課題を解決するために請求項９記載の発明は、外部表示媒体に表示されているデータを指し示すスポット指標の表示を制御する表示制御システムであって、前記外部表示媒体に対して照射されているスポット光の照射状態を検出する状態検出手段と、この検出手段により検出された照射状態に基づいて、前記スポット指標の表示態様を決定する決定手段と、この決定手段により決定された表示態様のスポット指標を生成する生成手段と、前記スポット光の照射位置を検出する位置検出手段と、この位置検出手段により検出された照射位置に基づいて、前記外部表示媒体に前記生成手段により生成されたスポット指標を表示させる表示制御手段と、を備えることを特徴とする。
【００１６】
請求項９に従属する発明として、前記位置検出手段により検出された照射位置が、前記外部表示媒体に表示されているデータのどの位置に相当するかを判別する判別手段と、この判別手段により判別された位置に基づいて、前記データと前記生成手段により生成されたスポット指標とを合成データとして合成する合成手段と、を更に備え、前記表示制御手段は、前記合成手段により合成された合成データを前記外部表示媒体に表示させるようにしたことを特徴とする請求項１０記載の発明であってもよい。
【００１７】
また、上述した課題を解決するために請求項１１記載の発明は、コンピュータに対して、外部表示媒体に対して照射されているスポット光の照射状態を検出する機能と、前記検出された照射状態に基づいて、前記外部表示媒体に表示されているデータを指し示すスポット指標の表示態様を決定する機能と、前記決定された表示態様のスポット指標を生成する機能と、を実現させるためのプログラムを特徴とする。
【００１８】
また、上述した課題を解決するために請求項１２記載の発明は、コンピュータに対して、外部表示媒体に対して照射されているスポット光の照射状態を検出する機能と、前記検出された照射状態に基づいて、前記外部表示媒体に表示されているデータを指し示すスポット指標の表示態様を決定する機能と、前記決定された表示態様のスポット指標を生成する機能と、前記スポット光の照射位置を検出する機能と、前記検出された照射位置に基づいて、前記外部表示媒体に、前記生成されたスポット指標を表示させる機能と、を実現させるためのプログラムを特徴とする。
【発明の効果】
【００１９】
本発明によれば、外部表示媒体に表示されているデータを指し示すスポット指標を適切に表示制御することができ、多様な表現が可能となって注意喚起力の高いものとなる。
【図面の簡単な説明】
【００２０】
【図１】プロジェクタを使用してスクリーン上に投影（表示）されている任意の位置の画像（データ）を指し示すためのスポット指標を表示制御する表示制御システムを示したブロック図。
【図２】表示制御装置としての携帯電話機１の基本的な構成要素を示したブロック図。
【図３】（１）、（２）は、指標情報記憶部Ｍ３を説明するための図。
【図４】携帯電話機１の全体動作の概要を示したメインフローチャート。
【図５】プロジェクタ支援機能処理（図４のステップＡ８）を詳述するためのフローチャート。
【図６】スポット指標生成処理（図５のステップＢ３）を詳述するためのフローチャート。
【図７】スポット指標合成処理（図５のステップＢ４）を詳述するためのフローチャート。
【図８】第１実施形態の変形例における指標情報記憶部Ｍ３を説明するための図。
【図９】（１）、（２）は、第２実施形態における指標情報記憶部Ｍ３を説明するための図。
【図１０】第２実施形態におけるスポット指標合成処理を示したフローチャート。
【図１１】第３実施形態におけるプロジェクタ支援機能処理（図４のステップＡ８）を詳述するためのフローチャート。
【発明を実施するための形態】
【００２１】
（第１実施形態）
以下、図１〜図７を参照して本発明の第１実施形態を説明する。
図１は、プロジェクタを使用してスクリーン上に表示（投影）されている任意の位置のデータ（画像）を指し示すスポット指標の表示を制御する表示制御システムを示したブロック図である。
この表示制御システムは、スクリーン（外部表示媒体）に表示（投影：以下同様）されているデータ（画像：以下同様）を指し示すためのスポット指標の表示を制御するプロジェクタ支援システムであり、携帯電話機１を中核とし、この携帯電話機１に対して外部装置となるＰＣ（パーソナルコンピュータ）２やプロジェクタ３のほか、スクリーン４やレーザポインタ５を有するシステム構成となっている。なお、スクリーン４の正面には、プロジェクタ３及び携帯電話機１が配置されている。
【００２２】
携帯電話機１は、スクリーン４に表示されている任意の位置のデータを指し示すためのスポット指標の表示を制御する表示制御装置であり、音声通話機能、電子メール機能、インターネット接続機能（Ｗｅｂアクセス機能）などのほか、近距離無線機能、プロジェクタ支援機能、撮像機能（カメラ機能）を有している。この近距離無線機能は、ＰＣ２又はプロジェクタ３との間でデータの送受信を行う機能であり、投影用データ（各種のプレゼンテーション用資料などのデータ）の送受信を行う。なお、携帯電話機１とＰＣ２又はプロジェクタ３との間、ＰＣ２とプロジェクタ３との間でのデータの送受信は、近距離無線通信に限らず、無線ＬＡＮ（構内網）などのネットワークや通信ケーブルを介して行うようにしてもよい。
【００２３】
プロジェクタ支援機能は、プロジェクタ３に対する支援を行うもので、このプロジェクタ支援機能を備えた携帯電話機１は、ＰＣ２側に記憶管理されている投影用の画像データ（プレゼンテーション資料などの投影用データ）を、ＰＣ２側から近距離無線通信を介して受信して記憶管理したり、この記憶管理している投影用データを、１ページ又は１シート毎に近距離無線通信を介してプロジェクタ３側に送信したりするほか、後で詳述するが、スクリーン４上に表示されているデータを指し示すためのスポット指標の表示を制御したりする機能である。このスポット指標は、レーザポインタ５によりスクリーン４上にレーザ光（スポット光）が照射されている場合に、その位置にスポット光に重ね合わせて表示されるマークであり、その表示態様は、スポット光の照射状態に応じて変更可能となっている。
【００２４】
投影用データは、グラフ、表、写真、文章からなるプレゼンテーション資料などであり、複数ページから構成され、この複数ページ分の投影用データは、携帯電話機１側でのデータ送り操作に応じてその先頭ページから順次指定されて、１ページ又は１シート毎にプロジェクタ３側に送信される。また、撮像機能は、スクリーン４の全体を撮影するもので、スクリーン４の全体が撮影範囲一杯に収まるようにその画角が合わせられている。ここで、この第１実施形態においては、レーザポインタ５から出射されるレーザ光として可視光線を使用し、かつ明るさを抑えた低輝度レーザを使用した場合を例示したもので、撮像機能は、スクリーン４上に表示されているデータと共に、スクリーン４上に結像されたレーザ光（スポット光）を画像信号として撮影するようにしている。
【００２５】
プロジェクタ３は、ＰＣ２から携帯電話機１を介して受信した投影用データをスクリーン４上に投影するもので、図示省略したが、例えば、ＡＣ電源（商用電源）からの供給電力によって点灯する投影用ライトと、この投影用ライトを制御してそのオン／オフや輝度を調整する光源調整部と、投影用データを映し出すための透過型液晶パネルと、この透過型液晶パネルを駆動する駆動部と、投影レンズと、この投影レンズを駆動するレンズ調整部などを有する構成となっているが、その構成は任意である。スクリーン４は、外部表示媒体を構成するもので、ペンによる手書きが可能となるように白く表面加工されたホワイトボードなどである。
【００２６】
レーザポインタ５は、レーザ光を照射するレーザ照射装置を構成するもので、例えば、スクリーン４上にパルス波形のレーザ光（パルスレーザ）を照射する構成となっている。そして、図示省略したが、レーザポインタ５には、電源オン／オフスイッチのほか、色切り替えスイッチ、点滅周期切り替えスイッチなどが備えられており、この色切り替えスイッチの操作によりレーザポインタ５から出射されるレーザ光の色を複数（例えば、赤色レーザ、緑色レーザ、青色レーザの３種類）に切り替え可能となっていると共に、点滅周期切り替えスイッチの操作によりレーザポインタ５から出射されるパルス波の周期（点滅周期）を複数（例えば、高速点滅、中速点滅、低速点滅の３種類）に切り替え可能となっている。
【００２７】
携帯電話機１は、上述の撮像機能によりスクリーン４の全体をモニタ撮影しながらその画像解析を行い、レーザポインタ５によって照射されているスクリーン４上のスポット光の照射位置及び照射状態（色、点滅周期）を検出するようにしている。すなわち、スクリーン４上に表示されているデータのどの位置がレーザポインタ５で照射されているかを検出すると共に、スポット光の照射状態としてその色の切り替え状態や点滅周期の切り替え状態を検出するようにしている。
【００２８】
そして、携帯電話機１は、上述のようにして検出したスポット光の照射状態に基づいて、上述のスポット指標の表示態様を決定して、その表示態様のスポット指標を生成すると共に、スクリーン４上の照射位置に、生成したスポット指標を追加表示させるようにしている。すなわち、携帯電話機１は、スクリーン４上の照射位置を投影用データ内の相当する位置に変換すると共に、この投影用データ内の位置に生成のスポット指標が含まれるように、この投影用データと生成したスポット指標とを合成し、この合成データをプロジェクタ３に新たな投影用データとして送信することによって、スクリーン４上にスポット指標を追加表示させるようにしている。
【００２９】
また、携帯電話機１は、最寄りの基地局６Ａ、交換機６Ｂから無線通信網（移動体通信網）６に接続されると、この無線通信網６を介して他の携帯電話機（図示省略）との間で通話可能な状態となる。また、携帯電話機１は、無線通信網６を介してインターネット７に接続されると、電子メールの送受信が可能となったり、Ｗｅｂページなどの情報を受信して閲覧可能となったりする。なお、携帯電話機１とＰＣ２とは、インターネット７を介して接続可能であり、上述した近距離無線を介してデータの送受信を行う代わりに、インターネット７を介してデータの送受信を行うこともできる。
【００３０】
図２は、表示制御装置としての携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。記憶部１３には、プログラム記憶部Ｍ１、各種情報一時記憶部Ｍ２、指標情報記憶部Ｍ３などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００３１】
プログラム記憶部Ｍ１は、後述する図４〜図７に示した動作手順に応じて本実施形態を実現するための基本プログラムやアプリケーションプログラム、それに必要な情報などを記憶する。各種情報一時記憶部Ｍ２は、フラグ情報、画面情報など、携帯電話機１が動作するために必要な各種の情報を一時的に記憶するワーク領域で、ＰＣ２から受信したプレゼンテーション資料などの投影用データは、各種情報一時記憶部Ｍ２に一時記憶された後、ページ毎又は１シート毎にプロジェクタ３に送信される。なお、指標情報記憶部Ｍ３については、後で詳述するものとする。
【００３２】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１に対して出力すると、中央制御部１１は、音声信号処理部１５を介して通話用スピーカＳＰから音声出力させる。また、無線通信部１４は、通話用マイクＭＣからの入力音声データが音声信号処理１５から中央制御部１１を介して供給されると、送信ベースバンド信号に符号化した後、ベースバンド部の送信側に与えてアンテナＡＴ１から送信させる。
【００３３】
近距離通信部１６は、上述した近距離通信機能を構成する構成要素で、外部装置（ＰＣ２、プロジェクタ３）との間において、アンテナＡＴ２を介して非接触タイプのBluetooth（登録商標）による近距離通信を行うもので、その通信可能エリア内（例えば、半径５ｍ以内）で交信が行われる。また、携帯電話機１と外部装置との間での交信時には互いの装置識別情報を送受信して通信相手を特定するようにしている。なお、近距離通信部１６は、Bluetooth（登録商標）通信に限らず、赤外線通信などを行う構成であってもよい。撮像部１７は、上述した撮像機能を構成するもので、撮像素子（例えば、ＣＣＤあるいはＣＭＯＳ）を有し、撮影レンズ、ミラーなどのレンズ・ミラーブロック、照明用のフラッシュ、それらの駆動系のほか、測距センサ、光量センサ、アナログ処理回路、信号処理回路、圧縮伸張回路などを備えている。
【００３４】
表示部１８は、例えば、高精細液晶や有機ＥＬ（Electro Luminescence）などを使用したもので、例えば、待受画像、アイコン、日時情報、メール、Ｗｅｂページなどを表示するもので、中央制御部１１は、プレゼンテーション資料などの投影用データを、プロジェクタ３を介してスクリーン４に投影させている状態において、スクリーン４に投影されているデータの全部あるいは一部を表示部１８に表示させるようにしている。なお、表示部１８は、携帯電話機１に備えられている表示部としたが、外部モニタなど、任意の外部表示装置であってもよい。
【００３５】
操作部１９は、図示しないが、押しボタン型の十字キー（決定キーやカーソルキー）、数値キー／文字キー、メニューキー、プロジェクタ支援機能を起動させる開始キー、投影用データをプロジェクタ３に送信させるデータ送信キーなど、各種のキーを備え、ダイヤル入力、テキスト入力、コマンド入力などを行うもので、中央制御部１１は、この操作部１９からの操作信号に応じた処理として、例えば、発信処理、文章作成処理などを行う。なお、この実施形態においては、操作部１９の各キーを押しボタン型のキー（ハードキー）としたが、勿論、タッチスクリーン上のタッチキー（ソフトキー）で構成したものであってもよい。ＲＴＣ（リアルタイムクロックモジュール）２０は、時計部を構成するもので、時間計測動作を行うタイマ機能を有し、中央制御部１１は、ＲＴＣ２０から現在日時やタイマ計測時間を取得する。報知部２１は、サウンドスピーカ２１Ａ、ＬＥＤ（発光ダイオード）２１Ｂ、振動モータ２１Ｃを備え、着信時に駆動されて着信報知を行うほか、アラーム報知時などでも駆動される。
【００３６】
図３は、指標情報記憶部Ｍ３を説明するための図である。
指標情報記憶部Ｍ３は、スクリーン４上に照射されているスポット光の照射状態に基づいてスポット指標の表示態様を決定する際に使用されるもので、スポット光の照射状態とスポット指標の表示態様とを対応付けて記憶する構成となっている。図３（１）は、スポット光の照射状態が「色」の場合における指標情報記憶部Ｍ３の内容を示し、図３（２）は、スポット光の照射状態が「点滅周期」場合における指標情報記憶部Ｍ３の内容を示している。そして、図３（１）及び（２）は、スポット光の照射状態を示すパラメータを、スポット指標の表示態様を示すパラメータに対応付けた構成で、その内容はユーザ操作により任意に設定可能となっている。
【００３７】
すなわち、図３（１）は、「色及び形状」と「色」とを対応付けた構成で、スポット指標の表示態様（色及び形状）は、スポット光の照射状態（色）に応じて異なり、図示のように、スポット指標の「色及び形状」は、スポット光の色が“赤”では、“赤、円形”
となっており、“緑”では、“緑、正方形” となっており、“青”では、“青、星型”となっている。また、図３（２）は、「サイズ」と「点滅周期」とを対応付けた構成で、スポット指標の表示態様（サイズ）は、スポット光の照射状態（点滅周期）により異なり、図示のように、スポット指標の「サイズ」は、スポット光の「点滅周期」が“１／１０秒（高速点滅）”では、“大”
となっており、“１／５秒（中速点滅）”では、“中” となっており、“１／２秒（低速点滅）”では、“小”となっている。
【００３８】
次に、第１実施形態における携帯電話機１の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００３９】
図４は、携帯電話機１の全体動作の概要を示したメインフローチャートである。
先ず、中央制御部１１は、電源を投入する電源オン操作が行われると（ステップＡ１でＹＥＳ）、基地局６Ａとの間で通信を行って位置を登録する待受処理を行った後（ステップＡ２）、何らかの設定操作が行われたかを調べる（ステップＡ３）。いま、設定操作が行われたときには（ステップＡ３でＹＥＳ）、その操作に応じた設定処理を行った後（ステップＡ４）、上述のステップＡ３に戻る。この場合、指標情報記憶部Ｍ３への設定操作が行われたときには、スポット指標の表示態様を任意に設定する処理を行う。
【００４０】
なお、指標情報記憶部Ｍ３への設定処理では、スポット指標の表示態様に限らず、スポット光の照射状態を任意に設定するようにしてもよい。この場合、レーザポインタ５の色や点滅周期の切り替え可能な範囲内において、スポット光の色を任意に設定したり、点滅周期を任意に設定したりするようにしてもよく、また、スポット指標の表示態様とスポット光の照射状態との対応関係を任意に設定するようにしてもよい。
いま、無線通信部１４又は近距離通信部１６を介してＰＣ２などから送信されるデータを受信すると（ステップＡ５でＹＥＳ）、その受信データを各種情報一時記憶部Ｍ２に記憶させた後（ステップＡ６）、上述のステップＡ３に戻る。
【００４１】
また、プロジェクタ支援機能を起動させる開始操作が行われたときには（ステップＡ７でＹＥＳ）、後述するプロジェクタ支援機能処理を実行した後（ステップＡ８）、上述のステップＡ３に戻る。また、電話着信を検出したときには（ステップＡ９でＹＥＳ）、その応答操作に応じて通話処理を実行した後（ステップＡ１０）、上述のステップＡ３に戻る。電源オフ操作が行われたときには（ステップＡ１１でＹＥＳ）、電源オフ処理を実行し（ステップＡ１２）、その他の操作が行われたときには（ステップＡ１３でＹＥＳ）、操作に応じた処理として、電話発信処理、メール送信処理などを行った後（ステップＡ１４）、上述のステップＡ３に戻る。
【００４２】
図５は、プロジェクタ支援機能処理（図４のステップＡ８）を詳述するためのフローチャートである。
先ず、ＰＣ２側から送信された投影用データを受信して記憶管理している状態において、中央制御部１１は、この投影用データをプロジェクタ３側に送信させるために、そのデータ送信操作（送りキー操作）が行われると（ステップＢ１でＹＥＳ）、この投影用データの先頭から１ページ分又は１シート分のデータを読み出し、近距離通信部１６に与えて、プロジェクタ３側に送信する（ステップＢ２）。ここで、プロジェクタ３側では、携帯電話機１から送信された投影用データを受信すると、その投影用データを上述の透過型液晶パネルに展開することによって、投影用の画像データを光変換して、スクリーン４上に投影（表示）させる。そして、携帯電話機１側では、スクリーン４への表示が行われると、スポット指標生成処理を実行した後（ステップＢ３）、スポット指標合成処理に移る（ステップＢ４）。
【００４３】
図６は、スポット指標生成処理（図５のステップＢ３）を詳述するためのフローチャートである。図７は、スポット指標合成処理（図５のステップＢ４）を詳述するためのフローチャートである。
先ず、スポット指標生成処理が開始されると、中央制御部１１は、撮像部１７を起動させてスクリーン４の全体を撮影させ、その撮影画像を取得する（図６のステップＣ１）。そして、この撮影画像を解析し（ステップＣ２）、レーザポインタ５によりスクリーン４上に照射されたスポット光の画像が当該撮影画像内に含まれているか否か判別し（ステップＣ３）、撮影画像内にスポット光の画像が含まれるまで上述のステップＣ１に戻って、待機状態となる。
【００４４】
ここで、発表者がレーザポインタ５を使用してスクリーン４上の任意の位置をスポット光で照射すると、つまり、携帯電話機１において、その中央制御部１１が撮影画像内にスポット光の画像が含まれていることを検出すると（ステップＣ３でＹＥＳ）、そのスポット光の画像の位置をスポット光の照射位置として検出する（ステップＣ４）。この場合、中央制御部１１は、スクリーン４上のスポット光の照射位置を投影用データ内の相対する位置に変換する。次に、画像解析によりスポット光の照射状態としてその色を検出する（ステップＣ６）。更に、それ以降に逐次取得した各撮影画像を解析しながら一定期間（例えば、６０ｍｓ）、スポット光の画像変化を認識し、スポット光の照射状態としてその点滅周期を検出する（ステップＣ７）。
【００４５】
このようにしてスポット光の照射位置及び照射状態（色、点滅周期）を検出した後は、この照射状態（色、点滅周期）に基づいて指標情報記憶部Ｍ３を検索し、スポット光の照射状態（色）に該当するスポット指標の表示態様として、「色及び形状」を読み出すと共に、スポット光の照射状態（点滅周期）に該当するスポット指標の表示態様として「サイズ」を読み出す（ステップＣ８）。例えば、「色及び形状」として、スポット光の色が“赤”では、“赤、円形”を読み出し、“緑”では、“緑、正方形”を読み出し、“青”では、“青、星型”を読み出す。また、「サイズ」として、スポット光の点滅周期が“１／１０秒”では、“大”を読み出し、“１／５秒”では、“中”を読み出し、“１／２秒”では、“小”を読み出す。そして、読み出した「色及び形状」及び「サイズ」をスポット指標の表示態様として決定した後（ステップＣ９）、その表示態様のスポット指標を生成する（ステップＣ１０）。
【００４６】
その後、図５のフローに戻って、図７のスポット指標合成処理に移り、プロジェクタ３に送信した投影用データ内において、図６のステップＣ１０で生成したスポット指標が図６のステップＣ５で検出したスポット光の照射位置となるように、この投影用データ内にスポット指標を合成し、この合成データを新たな投影用データとして生成した後（ステップＤ）、図５のフローに戻る。
【００４７】
そして、上述のようにして合成した合成データをプロジェクタ３に送信する（図５のステップＢ５）。この場合、プロジェクタ３側では、その合成データを受信すると、前回まで投影していたデータに代わって、今回受信した合成データをスクリーン４上に表示させる。これによってスクリーン４上のデータ内にはスポット指標が含まれたものとなる。以下、データの切り替え操作が行われたか（ステップＢ６）、プロジェクタ支援機能の終了を指示する操作が行われたか（ステップＢ７）、その他の操作が行われたかを調べる（ステップＢ９）。
【００４８】
その結果、上述のいずれの操作も行われなければ（ステップＢ６、Ｂ７、Ｂ９でＮＯ）、上述のステップＢ３に戻って、スポット指標生成処理を実行した後、スポット指標合成処理（ステップＢ４）に移り、この合成データをプロジェクタ３に送信する処理（ステップＢ５）を繰り返す。その結果、発表者がレーザポインタ５を使用してスクリーン４上の任意の位置をスポット光で照射しながらスポット光を移動させたものとすると、その移動に追随して（重なり合った状態で）、スクリーン４上のスポット指標が同様に移動するようになる。
【００４９】
また、データの切り替え操作が行われたときには（ステップＢ６でＹＥＳ）、上述のステップＢ２に戻り、投影用データの中から１ページ分又は１シート分のデータを読み出して近距離通信部１６に与え、プロジェクタ３側に送信する（ステップＢ２）。以下、データの切り替え操作が行われる毎に、上述のデータ送信処理（ステップＢ２）、スポット指標生成処理（ステップＢ３）、スポット指標合成処理（ステップＢ４）、合成データ送信処理（ステップＢ５）が順次繰り返される。
【００５０】
また、その他の操作が行われたときには（ステップＢ９でＹＥＳ）、操作に応じた処理として、例えば、スクリーン４を撮影する際の撮影パラメータを調整する操作が行われると、撮影パラメータ調整処理を行うが（ステップＢ１０）、プロジェクタ支援機能の終了操作が行われたときには（ステップＢ７でＹＥＳ）、プロジェクタ３に対してプロジェクタ支援の終了を指示したり、プロジェクタ支援機能で使用した一時記憶の内容をクリアしたりするなど、プロジェクタ支援機能の終了処理を行った後（ステップＢ８）、図４のステップＡ３に戻る。
【００５１】
以上のように、第１実施形態において、外部表示媒体（スクリーン）４に表示されているデータを指し示すスポット指標の表示を制御する表示制御装置（携帯電話機１）は、レーザポインタ５からスクリーン４に照射されているスポット光の照射状態に基づいてスポット指標の表示態様を制御するようにしたので、スポット指標の表示態様を適切に制御することができて、多様な表現が可能となる。すなわち、レーザポインタ５の回路構成や部品構成を複雑化することなく、レーザ光の照射状態（色、点滅周期）を変える回路構成や部品構成だけで、多様な表現のスポット指標を得ることができると共に、スポット指標という明瞭な表示によってその位置を目立たせることができ、プレゼンテーション参加者などの注意喚起力を高めることが可能となる。
【００５２】
携帯電話機１は、投影用データとスポット指標とを合成するようにしたので、投影用データ内にスポット指標を含ませることができる。この場合、スポット光とスポット指標とを重ね合わせて表示させることができるほか、同一色で表示させることができるので、１箇所にスポット光とスポット指標とを同時に表示させたとしても、参加者に誤認混同を与えることなく、１つのものと認識させることができたり、より強調して認識させることができたりして、効果的なものとなる。
【００５３】
携帯電話機１は、外部装置のＰＣ２側から受信した投影用データと、生成したスポット指標とを合成するようにしたので、ＰＣ２側から受信した投影用データであっても、その投影用データ内にスポット指標を含めることができる。
【００５４】
携帯電話機１は、上述の合成データを外部装置であるプロジェクタ３側に送信するようにしたので、プロジェクタ３側では、投影用データとスポット指標とを合成する処理が不要となり、それだけプロジェクタ３側の負担を軽減させることができる。
【００５５】
携帯電話機１は、スポット指標の表示態様として、色、形状、大きさを制御するようにしたので、多様な表現が可能となる。
【００５６】
一方、スクリーン４上のスポット光の照射状態に応じた表示態様のスポット指標を生成すると共に、スクリーン４上に表示されているデータ内の照射位置に、生成したスポット指標を合成して表示させる表示制御システムを提供するようにしたので、スポット指標の表示態様を適切に制御することができて、多様な表現が可能となる。すなわち、レーザポインタ５の回路構成や部品構成を複雑化することなく、レーザ光の照射状態（色、点滅周期）を変更する回路構成や部品構成だけで、多様な表現のスポット指標を得ることができると共に、スポット指標という明瞭な表示によってその位置を目立たせることができ、プレゼンテーション参加者などの注意喚起力を高めることが可能となる。
【００５７】
この表示制御システムは、スクリーン４上に表示されている投影用データと、生成したスポット指標とを合成するようにしたので、投影用データ内にスポット指標を含ませることができる。この場合、スポット光とスポット指標とを重ね合わせて表示させることができると共に、同一色で表示させることができるので、１箇所にスポット光とスポット指標とを同時に表示させたとしても、参加者に誤認混同を与えることなく、その位置をより強調することが可能となる。
【００５８】
なお、上述した第１実施形態の指標情報記憶部Ｍ３は、図３（１）に示すようにスポット指標の表示態様としての「色及び形状」と、スポット光の照射状態としての「色」とを対応付け、また、図３（２）に示すようにスポット指標の表示態様としての「サイズ」と、スポット光の照射状態としての「点滅周期」とを対応付けた構成としたが、図８に示すように、スポット光の照射状態として、表の行（縦）方向に「点滅周期」を配置し、列（横）方向に「色」を配置し、この縦横が交差するマトリックス状の各枠内（セル内）に、スポット指標の表示態様として「形状、色、サイズ、点滅パターン」を配置した構成としてもよい。
【００５９】
この場合、スポット指標の表示態様の「形状、色、サイズ、点滅パターン」の各要素は、論理積（アンド）の関係で、例えば、スポット光の色が“赤”で、点滅周期が“１／１０秒”の場合に、スポット指標の表示態様は、“円形、赤、小、点灯”となる。また、スポット光の色が“緑”で、点滅周期が“１／１０秒”の場合に、スポット指標の表示態様は、“円形、緑、中、低速点滅”となり、スポット光の色が“赤”で、点滅周期が“１／５秒”の場合に、スポット指標の表示態様は、“正方形、赤、小、点灯”となり、スポット光の色が“緑”で、点滅周期が“１／５秒”の場合に、スポット指標の表示態様は、“正方形、緑、大、高速点滅”となる。
【００６０】
なお、上述のようにスポット指標の表示態様の「形状、色、サイズ、点滅パターン」の各要素を論理積（アンド）の関係とするのではなく、少なくとも２以上の要素を組み合わせたものを表示態様としてもよい。例えば、「形状、色」、「色、サイズ、点滅パターン」、「色、点滅パターン」としてもよい。また、スポット指標の表示態様は、「形状、色、サイズ、点滅パターン」に限らず、例えば、「模様」、「明るさ」を要素としてもよい。この場合、「形状、色、サイズ、点滅パターン、模様、明るさ」の各要素の論理積又は２以上の要素を組み合わせるようにしてもよい。ここで、スポット指標の表示態様が点滅の場合に、上述した図６のステップＣ１０においてスポット指標を生成する際、点滅の滅の期間では表示態様が無しのスポット指標を生成するようにすればよい。
【００６１】
（第２実施形態）
以下、この発明の第２実施形態について図９及び図１０を参照して説明する。
なお、上述した第１実施形態においては、レーザポインタ５からのスポット光によってスクリーン４上の任意の位置が照射された際に、そのスポット光の照射位置にスポット指標を表示させるようにしたが、この第２実施形態においては、更に、スポット光の移動に追従して、スポット指標が軌跡を描くようにしたものである。すなわち、スポット光の軌跡をスポット指標の表示によって表現するようにしたものである。ここで、両実施形態において基本的あるいは名称的に同一のものは、同一符号を付して示し、その説明を省略すると共に、以下、第２実施形態の特徴部分を中心に説明するものとする。
【００６２】
この第２実施形態において、スクリーン４上にスポット指標の軌跡を描くには、スクリーン４上の前回の合成データに、今回生成したスポット指標を合成して新たな合成データを生成し、この新たな合成データをプロジェクタ３に送信してスクリーン４上に表示させるようにしている。また、後で詳述するが、スポット指標の軌跡表示を止めるトリガーは、時間か、距離か、特定の照射状態かであり、スクリーン４上に表示されている合成データを消去し、新たな合成データを生成してスクリーン４上に新たに表示させることによって行うようにしている。
【００６３】
図９は、第２実施形態における指標情報記憶部Ｍ３を説明するための図である。
図９（１）の指標情報記憶部Ｍ３は、図３（１）で示した指標情報記憶部Ｍ３と同様に、「色及び形状」と「色」とを対応付けた構成となっている。また、図９（２）の指標情報記憶部Ｍ３は、「軌跡の制御」と「点滅周期」とを対応付けた構成で、その内容はユーザ操作により任意に設定可能となっている。このスポット指標の表示態様としての「軌跡の制御」は、スポット指標の軌跡をどのようなパラメータで制御するかを示すもので、「時間」、「距離」、「常時継続」、「軌跡中止」の項目を有している。
【００６４】
「軌跡の制御」の「時間」は、時間をパラメータとして軌跡の描く時間を制御することを示している。図示の例において、スポット光の照射状態としての「点滅周期」が“１／１０秒”の場合には、“５秒間継続して軌跡を表示する”となっていて、５秒間軌跡を表示した後はその軌跡を消す制御を行うことを示している。また、「点滅周期」が“１／８秒”の場合には、“２０秒間継続して軌跡を表示する”となっていて、２０秒間軌跡を表示した後はその軌跡を消す制御を行うことを示している。また、「軌跡の制御」の「距離」は、距離をパラメータとして軌跡の描く距離を制御することを示している。図示の例では、スポット光の照射状態「点滅周期」が“１／６秒”の場合には、“３０ｃｍ継続して軌跡を表示する”となっていて、３０ｃｍ軌跡を表示した後はその軌跡を消す制御を行うことを示している。また、「点滅周期」が“１／４秒”の場合には、“６０ｃｍ継続して軌跡を表示する”となっていて、６０ｃｍ軌跡を表示した後はその軌跡を消す制御を行うことを示している。
【００６５】
また、「常時継続」は、軌跡を常時表示する制御を行うことを示し、スポット光の照射状態「点滅周期」が“１／２秒”では、“常時継続”となっている。「軌跡中止」は、上述の時間、距離、常時継続のいずれの制御によって表示されていた軌跡を消すことを示し、スポット光の照射状態「点滅周期」が“１秒”では、“軌跡中止”となっている。このように「軌跡の制御」の「時間」、「距離」、「常時継続」、「軌跡中止」のうち、現在どのパラメータが有効であるかは、スポット光の照射状態に応じて異なるようにしている。
【００６６】
図１０は、第２実施形態におけるスポット指標合成処理を示したフローチャートである。すなわち、図１０は、第１実施形態の図７に代わるフローチャートで、その他のフローチャートは、第１実施形態で示した図４〜図６のフローチャートと同様のため、以下、このスポット指標合成処理について説明し、その他の動作については、その説明を省略するものとする。
先ず、中央制御部１１は、図６のスポット指標生成処理で検出されたスポット光の照射状態（点滅周期）に基づいて指標情報記憶部Ｍ３を検索し、その点滅周期は、「軌跡の制御」の「時間」、「距離」、「常時継続」、「軌跡中止」の制御うち、どの制御に該当しているかを調べる。すなわち、スポット光の点滅周期に応じた「軌跡の制御」は、時間制御に該当しているのか（ステップＥ１）、距離制御に該当しているのか（ステップＥ９）、常時継続又は軌跡中止に該当しているのかを調べる（ステップＥ１５）。
【００６７】
いま、スポット光の点滅周期に応じた「軌跡の制御」が時間制御に該当しているときには（ステップＥ１でＹＥＳ）、ＲＴＣ２０内のタイマの時間計測動作を開始させたかを調べ（ステップＥ２）、計測動作を開始していなければ（ステップＥ２でＮＯ）、タイマを起動させて時間計測動作を開始させる（ステップＥ３）。そして、ＲＴＣ２０からタイマ計測時間を取得すると共に、指標情報記憶部Ｍ３から「点滅周期」に対応する「軌跡の制御」として継続時間（図９の例では５秒又は２０秒）を読み出し、この継続時間と計測時間とを比較して（ステップＥ４）、計測時間は継続時間以上であるかを調べる（ステップＥ５）。最初は、計測時間が継続時間未満となっているので（ステップＥ５でＮＯ）、前回生成した合成データに、今回生成したスポット指標を合成して、新たな合成データを生成する（ステップＥ８）。
【００６８】
これによって、スポット光の照射位置が前回の検出時と今回の検出時とで異なっているとき、つまり、スポット光が移動しているときには、前回の照射位置でのスポット指標と今回の照射位置でのスポット指標との両方が含まれたものとなるために、スポット光の移動に追従してスポット指標の軌跡を描くことが可能となる。その際、前回生成したスポット指標と今回生成したスポット指標とが距離的に離れている場合にも、軌跡が表示されるようにするためにその間をスポット指標で補完するようにしている。このような合成データの生成処理は（ステップＥ８）、計測時間が継続時間未満の間（ステップＥ５でＮＯ）、繰り返される。その結果、計測時間が継続時間以上となると（ステップＥ５でＹＥＳ）、タイマの時間計測動作を停止させた後（ステップＥ６）、第１実施形態と同様に合成データを生成する処理に移る（ステップＥ７）。この場合、今回の投影用データ内に今回生成したスポット指標を合成する。これによって、スクリーン４上に表示されていたスポット指標の軌跡は、新たな合成データによって消去される。
【００６９】
他方、スポット光の点滅周期に応じた「軌跡の制御」が距離制御に該当しているときには（ステップＥ９でＹＥＳ）、スポット指標の軌跡距離を計測する距離計測動作を開始したかを調べ（ステップＥ１０）、計測動作を開始していなければ（ステップＥ１０でＮＯ）、距離計測動作を開始させる（ステップＥ１１）。この距離計測動作は、上述のスポット指標生成処理で検出した前回の照射位置と今回の照射位置とが一致していなければ、スポット光が移動したものとして、前回の照射位置と今回の照射位置との距離を算出し、スポット光が移動してからの合計距離に今回の算出距離に累計することで、この合計距離をスポット指標の軌跡距離として求める処理である。
【００７０】
そして、この距離計測動作で得られた計測距離と、指標情報記憶部Ｍ３から「点滅周期」に対応する「軌跡の制御」としての継続距離（図９の例では３０ｃｍ又は６０ｃｍ）を読み出し、この継続距離と計測距離とを比較することにより（ステップＥ１２）、計測距離は継続距離以上であるかを調べる（ステップＥ１３）。最初は、計測距離が継続距離未満となっているので（ステップＥ１３でＮＯ）、上述のステップＥ８に移り、前回の合成データに、今回生成したスポット指標を合成して新たな合成データを生成する。以下、計測距離が継続距離未満の間（ステップＥ１３でＮＯ）、上述の動作が繰り返される。その結果、計測距離が継続距離以上となると（ステップＥ１３でＹＥＳ）、距離計測動作を停止させた後（ステップＥ１４）、第１実施形態と同様に合成データを生成する処理に移る（ステップＥ７）。
【００７１】
また、スポット光の点滅周期に応じた「軌跡の制御」が常時継続に該当しているときには（ステップＥ１５でＹＥＳ）、上述のステップＥ８に移り、前回の合成データに、今回生成したスポット指標を合成するが、スポット光の点滅周期に応じた「軌跡の制御」が軌跡中止に該当しているときには（ステップＥ１５でＮＯ）、上述のステップＥ７に移り、新たな合成データを生成する。この場合、スクリーン４上に表示されていた軌跡を消去して新たな合成データが表示される。
【００７２】
以上のように、第２実施形態においては、スポット光の照射状態に基づいて、スポット指標の表示態様として、スポット光の動く軌跡をスポット指標の表示によって表現するようにしたので、効果的な表現が可能となり、更に、プレゼンテーション参加者などの注意喚起力を高めることができる。
【００７３】
スポット指標が描く軌跡の時間や距離を制御するようにしたので、スポット光の移動時間や移動距離に関わらず、スポット指標の軌跡時間や距離を制御することができ、注意喚起力を高めた後、その軌跡を消すことができる。
【００７４】
（第３実施形態）
以下、この発明の第３実施形態について図１１を参照して説明する。
なお、上述した第１実施形態においては、スクリーン４上に表示されているデータと生成したスポット指標とを携帯電話機１側で合成して、その合成データをプロジェクタ３に送信するようにしたが、この第３実施形態においては、それらの合成をＰＣ２側で行い、その合成データをプロジェクタ３に送信するようにしたものである。ここで、両実施形態において基本的あるいは名称的に同一のものは、同一符号を付して示し、その説明を省略すると共に、以下、第３実施形態の特徴部分を中心に説明するものとする。
【００７５】
図１１は、第３実施形態におけるプロジェクタ支援機能処理（図４のステップＡ８）を詳述するためのフローチャートである。すなわち、第１実施形態の図５に代わるフローチャートで、その他のフローチャートは、第１実施形態で示した図４、図６、図７のフローチャートと同様のため、以下、このプロジェクタ支援機能処理について説明し、その他の動作については、その説明を省略するものとする。
先ず、中央制御部１１は、図６のスポット指標生成処理を実行し（ステップＦ１）、これによって生成したスポット指標と、検出したスポットの照射位置とをＰＣ２側に送信する（ステップＦ２）。ここで、ＰＣ２側においては、携帯電話機１からスポット指標と照射位置を受信すると、スクリーン４上に表示されているデータと、データ内の照射位置にスポット指標を合成し、この合成データをプロジェクタ３側に送信する。プロジェクタ３は、この合成データをスクリーン４上に投影させる。
【００７６】
その後、携帯電話機１側においては、プロジェクタ支援機能の終了操作が行われたか（ステップＦ３）、その他の操作が行われたかを調べ（ステップＦ５）、その他の操作が行われたときには（ステップＦ５でＹＥＳ）、操作に応じた処理として、例えば、プロジェクタ３から照射される投影光の輝度を調整する操作が行われると、輝度調整処理を行う（ステップＦ６）。また、プロジェクタ支援機能の終了操作が行われたときには（ステップＦ３でＹＥＳ）、プロジェクタ３に対してプロジェクタ支援の終了を指示したり、プロジェクタ支援機能で使用した一時記憶の内容をクリアしたりするなど、プロジェクタ支援機能の終了処理を行った後（ステップＦ４）、図４のステップＡ３に戻る。
【００７７】
以上のように、第３実施形態において携帯電話機１は、検出したスポット光の照射位置と、生成したスポット指標とをＰＣ２に送信するようにしたので、スクリーン４上に表示されているデータとスポット指標との合成処理をＰＣ２側に負わせることができ、携帯電話機１側の負担を軽減することが可能となる。
【００７８】
なお、上述した第３実施形態において携帯電話機１は、検出したスポット光の照射位置と生成したスポット指標とをＰＣ２に送信し、それらの合成をＰＣ２側で行うようにしたが、携帯電話機１は、照射位置とスポット指標とをプロジェクタ３側に送信して、それらの合成をプロジェクタ３側で行うようにしてもよい。このように表示制御システムは、合成処理に限らず、スポット光を照射する処理、データを投影する処理、スポット光の照射状態を検出する処理、スポット指標の表示態様を決定する処理、スポット指標を生成する処理などの各々の処理は、このシステム内のいずれの装置で実行するようにしてもよい。
【００７９】
また、上述した各実施形態においては、携帯電話機１側に撮像部１７を設けてスクリーン４の全体を撮影するようにしたが、撮像部は、ＰＣ２又はプロジェクタ３側に設けたり、この表示制御システム内にカメラ専用機を設けたりしてもよく、カメラ専用機を設けた場合には、このカメラ専用機と携帯電話機１又はＰＣ２との間で通信可能とすればよい。
【００８０】
上述した各実施形態においては、スポット光として可視光線（赤色レーザ、緑色レーザ、青色レーザ）を使用したので、スポット指標の表示態様としての色も、スポット光の色に合わせるようにしたが、スポット光の色とスポット指標の色とを同一とせず、同系色、反対色などであってもよい。また、上述した各実施形態においてはスポット光として、明るさを抑えた低輝度レーザを使用したが、高輝度レーザを使用してもよいし、レーザ光に限らず任意の光線でもよい。
【００８１】
上述した各実施形態においてレーザポインタ５は、スポット光として可視光線を使用し、かつ明るさを抑えた低輝度レーザを使用した場合を例示したが、赤外線などの不可視光線を利用するようにしてもよい。この場合、赤外線カメラを使用してスクリーン４を撮影するようにすればよい。このように不可視光線を利用すれば、不可視なスポット光を可視化したスポット指標がスクリーン４上に表示されることになる。
【００８２】
上述した各実施形態においてレーザポインタ５は、スクリーン４上にパルス波のスポット光（パルスレーザ）を照射するようにしたが、連続するスポット光を照射するようにしてもよい。この場合、スポット光の照射状態として、連続波とパルス波とを画像認識によって区別するようにしてもよい。
また、上述した各実施形態においては、色の切り替え及び点滅周期の切り替えを可能として、スポット光の照射状態を変更するようにしたが、スポット光の照射状態は、色、点滅周期に限らず、上述した連続波とパルス波との切り替え、スポット光の周波数の切り替えであってもよい。
【００８３】
上述した実施形態においては、端末装置として携帯電話機を例示したが、これに限らず、例えば、ＰＤＡ、デジタルカメラ、音楽プレイヤー、それらの複合機など、任意の端末装置であってもよい。更に、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８４】
１携帯電話機
２  ＰＣ（パーソナルコンピュータ）
３  プロジェクタ
４  スクリーン
５  レーザポインタ
１１  中央制御部
１３  記憶部
１６  近距離通信部
１７  撮像部
１９  操作部
２０  ＲＴＣ
Ｍ１  プログラム記憶部
Ｍ３  指標情報記憶部
【図１】
2011133541.tif 000003
【図２】
2011133541.tif 000004
【図３】
2011133541.tif 000005
【図４】
2011133541.tif 000006
【図５】
2011133541.tif 000007
【図６】
2011133541.tif 000008
【図７】
2011133541.tif 000009
【図８】
2011133541.tif 000010
【図９】
2011133541.tif 000011
【図１０】
2011133541.tif 000012
【図１１】
2011133541.tif 000013